(57)【特許請求の範囲】
【請求項１】
予め決められた物理量の測定値を取得する測定値取得処理、および前記物理量を測定した測定位置を取得する測定位置取得処理を実行する測定装置であって、
前記測定位置を補正するための補正操作が可能な操作部と、前記補正操作に従って前記測定位置を補正する補正処理を実行する補正処理部と、前記補正操作において指定された補正値および補正後の前記測定位置の少なくとも一方を補正前の前記測定位置および前記測定値と共に記憶部に記憶させる記憶処理を実行する記憶処理部とを備え、
前記補正処理部は、前記補正操作において指定された補正値が予め決められた規定値以下のときに前記補正処理を実行する測定装置。
【請求項２】
前記補正処理後の測定位置および前記測定値を地図上に示した画像を表示部に表示させる表示処理を実行可能に構成されている請求項１記載の測定装置。
【請求項３】
前記物理量を測定する測定器と、前記操作部、前記補正処理部、前記記憶処理部および前記記憶部を有して前記測定器とは別体に構成された携帯型端末とを備え、
前記測定器および前記携帯型端末は、互いに通信可能に構成されている請求項１または２記載の測定装置。
【請求項４】
予め決められた物理量の測定値を取得する測定値取得処理、および前記物理量を測定した測定位置を取得する測定位置取得処理を測定装置に実行させる測定用プログラムであって、
補正操作において指定された補正値が予め決められた規定値以下のときに当該補正操作に従って前記測定位置を補正する補正処理と、前記補正操作において指定された補正値および補正後の前記測定位置の少なくとも一方を補正前の前記測定位置および前記測定値と共に記憶部に記憶させる記憶処理とを前記測定装置に実行させる測定用プログラム。
【発明の詳細な説明】
【技術分野】
【０００１】
本発明は、測定値を取得する測定値取得処理と測定位置を取得する測定位置取得処理とを実行する測定装置、およびこれらの各処理を測定装置に実行させる測定用プログラムに関するものである。
【背景技術】
【０００２】
この種の装置として、特開２０１１−１７６５３０号公報に開示された遠隔操作システムが知られている。この遠隔操作システムは、携帯電話および光パルス試験機を備えて構成されている。この遠隔操作システムでは、携帯電話が光パルス試験機に対して各種の指令を送信し、光パルス試験機がその指令に従って測定データ（波形データ）を携帯電話に送信する。また、携帯電話が測定データに基づく画像を表示部に表示させる。このように、この遠隔操作システムでは、光パルス試験機を遠隔操作して測定を行う際に、携帯電話を操作部や制御部として機能させる。また、発明者は、この種の装置として、ＧＰＳ機能が搭載された携帯型端末（携帯電話）と測定器とを備えて、ＧＰＳ機能を用いて取得した測定位置（携帯型端末の位置）を、測定器によって測定された測定値と共に（両者を関連付けて）記録する機能を有する測定装置を既に開発している。この測定装置では、測定位置および測定値を記録するため、測定位置および測定値を用いて、例えば、測定位置毎の測定値の変化を解析したり、測定位置と測定値とを地図上に表示したりすることが可能となっている。
【先行技術文献】
【特許文献】
【０００３】
【特許文献１】特開２０１１−１７６５３０号公報（第６−７頁、第１−２図）
【発明の概要】
【発明が解決しようとする課題】
【０００４】
ところが、発明者が既に開発している上記の測定装置には、改善すべき以下の課題が存在する。すなわち、上記の測定装置では、ＧＰＳ機能を用いて取得した携帯型端末の位置（測定位置）を測定器によって測定された測定値と共に記録している。しかしながら、一般的な携帯型端末に搭載されているＧＰＳ機能を用いて特定した位置は、数ｍ〜１０ｍ程度の誤差を含んでいることがある。このため、この測定装置では、例えば、取得した測定位置と測定値とを用いて解析や表示を行う際に、取得した測定位置が実際の測定位置と異なることに起因して、解析や表示を正確に行うことが困難なことがあり、この点の改善が望まれている。
【０００５】
本発明は、かかる課題を解決すべくなされたものであり、測定位置および測定値を用いた解析や表示を正確に行い得る測定装置および測定用プログラムを提供することを主目的とする。
【課題を解決するための手段】
【０００６】
上記目的を達成すべく請求項１記載の測定装置は、予め決められた物理量の測定値を取得する測定値取得処理、および前記物理量を測定した測定位置を取得する測定位置取得処理を実行する測定装置であって、前記測定位置を補正するための補正操作が可能な操作部と、前記補正操作に従って前記測定位置を補正する補正処理を実行する補正処理部と、前記補正操作において指定された補正値および補正後の前記測定位置の少なくとも一方を補正前の前記測定位置および前記測定値と共に記憶部に記憶させる記憶処理を実行する記憶処理部とを備え、前記補正処理部は、前記補正操作において指定された補正値が予め決められた規定値以下のときに前記補正処理を実行する。
【０００８】
また、請求項２記載の測定装置は、請求項１記載の測定装置において、前記補正処理後の測定位置および前記測定値を地図上に示した画像を表示部に表示させる表示処理を実行可能に構成されている。
【０００９】
また、請求項３記載の測定装置は、請求項１または２記載の測定装置において、前記物理量を測定する測定器と、前記操作部、前記補正処理部、前記記憶処理部および前記記憶部を有して前記測定器とは別体に構成された携帯型端末とを備え、前記測定器および前記携帯型端末は、互いに通信可能に構成されている。
【００１０】
また、請求項４記載の測定用プログラムは、予め決められた物理量の測定値を取得する測定値取得処理、および前記物理量を測定した測定位置を取得する測定位置取得処理を測定装置に実行させる測定用プログラムであって、補正操作において指定された補正値が予め決められた規定値以下のときに当該補正操作に従って前記測定位置を補正する補正処理と、前記補正操作において指定された補正値および補正後の前記測定位置の少なくとも一方を補正前の前記測定位置および前記測定値と共に記憶部に記憶させる記憶処理とを前記測定装置に実行させる。
【発明の効果】
【００１１】
請求項１記載の測定装置、および請求項４記載の測定用プログラムでは、補正操作に従って測定位置を補正する補正処理と、補正操作において指定された補正値および補正後の測定位置の少なくとも一方を補正前の測定位置および測定値と共に記憶部に記憶させる記憶処理とを実行する。このため、この測定装置および測定用プログラムでは、例えば、ＧＰＳ機能によって特定した測定位置を取得した場合において、その測定位置に誤差が含まれていたとしても、その測定位置を補正して記憶させることができるため、例えば、測定位置毎の測定値の変化等の解析をしたり、測定値を測定位置と共に地図上に表示したりする際に、補正後の測定位置を用いることで、その解析や表示を十分正確に行うことができる。また、補正前の測定位置を記憶部に記憶させるため、補正操作において指定された補正値を記憶させない場合においても、補正後の測定位置および補正前の測定位置から（これらの測定位置間の距離から）補正値を特定することができる。このため、この測定装置および測定用プログラムによれば、指定された補正値が適正であるか否かの検証を補正処理後において行うことができる。
【００１２】
また、この測定装置および測定用プログラムによれば、補正操作において指定された補正値が予め決められた規定値以下のときにのみ補正処理を実行することにより、補正操作のミスによって測定位置が実際の測定位置とは大きく異なる位置に誤って補正される事態を確実に防止することができる。また、取得した測定位置を実際の測定位置とは異なる位置に故意に大きく補正（改ざん）するような不正行為を確実に防止することができる。
【００１３】
また、請求項２記載の測定装置では、補正処理後の測定位置を測定値と共に地図上に示した測定結果画像を表示部に表示させる表示処理を実行する。このため、この測定装置によれば、補正後の正確な測定位置と測定値とを地図上で確認することができるため、例えば、複数の測定位置で測定を行う際の測定作業の進捗状況を正確に把握したり、測定位置毎の測定値を一目で把握したりすることができる。
【００１４】
また、請求項３記載の測定装置によれば、物理量を測定する測定器と、測定器とは別体に構成された携帯型端末とを備え、測定器および携帯型端末を通信可能に構成したことにより、物理量を測定する作業と、補正操作などの各種操作とを別々の測定者が分担して行うことができるため、作業効率を十分に向上させることができる。また、携帯型端末に搭載されているＧＰＳ機能、表示機能、タッチ操作機能および記憶機能などを利用することができるため、操作性や利便性を十分に高めることができる。
【図面の簡単な説明】
【００１５】
【図１】測定装置１の構成を示す構成図である。
【図２】測定装置１を用いた測定方法の手順を説明するための説明図である。
【図３】記録データＤｒの構成を概念的に示す構成図である。
【図４】表示部１６に表示された測定結果画像Ｇｄの表示画面図である。
【図５】表示部１６に表示された補正用画像Ｇｒの表示画面図である。
【図６】補正処理後の記録データＤｒの構成を概念的に示す構成図である。
【図７】表示部１６に表示された補正処理後の測定結果画像Ｇｄの表示画面図である。
【発明を実施するための形態】
【００１６】
以下、測定装置および測定用プログラムの実施の形態について、添付図面を参照して、説明する。
【００１７】
最初に、図１に示す測定装置１の構成について、図面を参照して説明する。測定装置１は、測定装置の一例であって、測定対象体の一例としての接地電極と電源設備のコールド側端子との間の接地抵抗（予め決められた物理量の一例）を測定可能に構成されている。具体的には、測定装置１は、同図に示すように、携帯型端末２および測定器３を備えて構成されている。
【００１８】
携帯型端末２は、一例としてスマートフォンであって、図１に示すように、操作部１１、ＧＰＳ（Global Positioning System ）受信部１２、送受信部１３、記憶部１４、音声入出力部１５、表示部１６および処理部１７を備えて構成され、電話機として機能すると共に、各種の処理を実行する端末として機能する。
【００１９】
操作部１１は、各種の操作ボタン（図示せず）を備えて構成され、これらのボタンが操作されたときに操作信号を出力する。また、操作部１１は、表示部１６の表面側に配設された図外のタッチパネルを備えており、タッチパネルに対する操作（タッチ操作）が行われたときにも操作信号を出力する。この場合、この携帯型端末２では、操作ボタンやタッチパネルを用いることにより、通話の操作や、後述する測定位置Ｐｄを補正するための補正操作を行うことが可能となっている。
【００２０】
ＧＰＳ受信部１２は、処理部１７の制御に従って位置特定処理を実行し、測定装置１の位置（携帯型端末２の位置）を測位すると共に、測位した位置を示す位置データＤｐを出力する。送受信部１３は、処理部１７の制御に従い、測定器３の送受信部２３との間で、各種の指示信号Ｓｉの送信（出力）や測定データＤｄの受信（入力）を行う。つまり、携帯型端末２および測定器３は、有線回線または無線回線を介して互いに通信可能に構成されている。
【００２１】
記憶部１４は、後述する測定値取得処理、測定位置取得処理、補正処理および記憶処理を処理部１７に実行させる測定用プログラムを記憶する。また、記憶部１４は、電話帳データ、測定器３から送信される測定データＤｄ、およびＧＰＳ受信部１２から出力される位置データＤｐを記憶する。また、記憶部１４は、後述する表示処理において用いる地図データＤｍ、および処理部１７によって生成される後述する記録データＤｒを記憶する。
【００２２】
音声入出力部１５は、携帯型端末２を電話として機能させる際に音声を入力するマイクロフォンおよび音声を出力するスピーカ（いずれも図示せず）を備えて構成されている。
【００２３】
表示部１６は、処理部１７の制御に従って各種の画像を表示する。具体的には、表示部１６は、通話用の画像（電話帳画像）や各種の設定用画像を表示する。また、表示部１６は、測定装置１を用いて測定した接地抵抗の測定値Ｒｄと、測定値Ｒｄを測定した時点においてＧＰＳ受信部１２によって測位された位置（この位置を「測定位置Ｐｄ」ともいう）を地図上に示した測定結果画像Ｇｄ（図４参照）を表示する。また、表示部１６は、後述する補正処理が実行されたときには、補正後の測定位置Ｐｄを地図上に示した測定結果画像Ｇｄ（図７参照）を表示する。
【００２４】
処理部１７は、記憶部１４に記憶されている測定用プログラムに従って携帯型端末２を構成する各部を制御する。また、処理部１７は、測定器３から送信された測定データＤｄに基づいて接地抵抗の測定値Ｒｄを取得する測定値取得処理を実行する。また、処理部１７は、ＧＰＳ受信部１２から出力された位置データＤｐに基づいて測定位置Ｐｄを取得する測定位置取得処理を実行する。さらに、処理部１７は、補正処理部として機能して、位置データＤｐに基づいて取得した測定位置Ｐｄを補正操作に従って補正する補正処理を実行する。この場合、処理部１７は、補正操作において指定された補正値Ｖｐが予め決められた規定値Ｖｈ以下のときに補正処理を実行する。
【００２５】
また、処理部１７は、記憶処理部として機能し、図３に示すように、接地抵抗が測定された時刻（測定データＤｄが生成された時刻：以下「測定時刻Ｔｄ」ともいう）、測定位置Ｐｄ（測定位置Ｐｄを示す緯度・経度）、および測定値Ｒｄを関連づけたデータ（以下、「記録データＤｒ」ともいう）を生成して、記憶部１４に記憶させる記憶処理を実行する。この場合、処理部１７は、補正処理を実行したときには、この記憶処理において、補正後の測定位置Ｐｄを、測定時刻Ｔｄ、補正前の測定位置Ｐｄおよび測定値Ｒｄに関連づけた記録データＤｒを生成して記憶部１４に記憶させる。さらに、処理部１７は、表示処理を実行して、上記した測定結果画像Ｇｄを表示部１６に表示させる。
【００２６】
測定器３は、図１に示すように、操作部２１、測定部２２、送受信部２３、記憶部２４および制御部２５を備えて構成されている。
【００２７】
操作部２１は、各種の操作ボタン（図示せず）を備えて構成され、これらの操作ボタンが操作されたときに操作信号を出力する。
【００２８】
測定部２２は、制御部２５の制御に従って測定処理を実行し、物理量の一例としての接地抵抗を測定して、測定値Ｒｄおよび測定時刻Ｔｄを示す測定データＤｄを出力する。送受信部２３は、制御部２５の制御に従い、携帯型端末２の送受信部１３との間で、指示信号Ｓｉの受信（入力）や測定データＤｄの送信（出力）を行う。記憶部２４は、制御部２５の制御に従って測定部２２から出力された測定データＤｄを記憶する。
【００２９】
制御部２５は、操作部２１から出力される操作信号、および送受信部２３によって受信される指示信号Ｓｉ（携帯型端末２から送信された指示信号Ｓｉ）に従い、測定部２２および送受信部２３を制御する。
【００３０】
次に、測定装置１の使用方法、および測定装置１の動作について、図面を参照して説明する。一例として、図２に示すように、工場敷地３００内における複数の測定地点（例えば、同図に示す測定地点Ａ１〜Ａ６：区別しないときには「測定地点Ａ」ともいう）において電源設備の接地抵抗を測定して、その測定時刻Ｔｄ、測定位置Ｐｄおよび測定値Ｒｄを記録する例について説明する。
【００３１】
測定に先立ち、測定装置１における携帯型端末２の送受信部１３と測定器３の送受信部２３とを接続する。この場合、一例として、送受信部１３と送受信部２３とを通信用ケーブルで接続する。次いで、最初の測定地点Ａ１において接地抵抗を測定する。具体的には、測定者が測定装置１（携帯型端末２および測定器３）を携帯して測定地点Ａ１に移動し、続いて、測定地点Ａ１において、測定器３の操作部２１を操作して、測定処理の実行を指示する。この際に、操作部２１が操作信号を出力し、これに応じて、測定器３の制御部２５が、測定部２２を制御して測定処理を実行させる。
【００３２】
この測定処理では、測定部２２は、測定対象体間（例えば、接地電極と電源設備のコールド側端子との間）に測定用電流を供給し、その測定用電流の供給に伴って生じる電圧の電圧値と、測定用電流の電流値とに基づいて測定対象体間の抵抗（接地抵抗）を測定し、その測定値Ｒｄを示す測定データＤｄを出力する。次いで、制御部２５は、測定データＤｄを記憶部２４に記憶させる。
【００３３】
続いて、携帯型端末２の操作部１１を操作して、測定値取得処理および測定位置取得処理の実行を指示する。この際に、操作部１１が操作信号を出力し、これに応じて、携帯型端末２の処理部１７が、送受信部１３を制御して、測定データＤｄの送信を指示する指示信号Ｓｉを測定器３に送信（出力）させる。
【００３４】
また、処理部１７は、ＧＰＳ受信部１２を制御して位置特定処理を実行させる。この位置特定処理では、ＧＰＳ受信部１２は、複数のＧＰＳ衛星から受信した時刻データと、内部時計から出力される時刻データとに基づいて、測定装置１と各ＧＰＳ衛星との間の距離を算出し、算出した各距離から測定装置１の位置（携帯型端末２の位置）を測位する。次いで、ＧＰＳ受信部１２は、測位した位置を示す位置データＤｐを出力する。
【００３５】
一方、測定器３では、送受信部２３が、携帯型端末２の送受信部１３から送信された指示信号Ｓｉを受信（入力）して制御部２５に転送する。続いて、制御部２５は、指示信号Ｓｉに従い、記憶部２４から測定データＤｄを読み出すと共に、送受信部２３を制御して、測定データＤｄを携帯型端末２に送信（出力）させる。
【００３６】
次いで、携帯型端末２の送受信部１３が、送受信部２３から送信された測定データＤｄを受信（入力）して処理部１７に転送する。続いて、処理部１７は、測定値取得処理を実行して、送受信部１３から転送された（測定器３から送信された）測定データＤｄに基づいて測定時刻Ｔｄおよび測定値Ｒｄを取得する。また、処理部１７は、測定位置取得処理を実行して、ＧＰＳ受信部１２から出力された位置データＤｐに基づいて測定位置Ｐｄ（測定時刻Ｔｄにおける測定位置Ｐｄ）を取得する。次いで、処理部１７は、取得した測定時刻Ｔｄ、測定値Ｒｄおよび測定位置Ｐｄを関連付けた記録データＤｒ（図３参照）を生成して記憶部１４に記憶させる。これにより、測定地点Ａ１における測定が終了する。
【００３７】
続いて、測定者が測定装置１を携帯して次の測定地点Ａ２（図２参照）に移動し、上記した手順で接地抵抗の測定を行う。この際には、測定器３が測定地点Ａ２における接地抵抗を測定し、携帯型端末２がその測定時刻Ｔｄ、測定値Ｒｄおよび測定位置Ｐｄを関連づけた記録データＤｒ記憶する。以下、同様にして、各測定地点Ａ３〜Ａ６において接地抵抗の測定を行う。
【００３８】
この場合、各測定地点Ａにおける測定が終了した時点では、携帯型端末２の記憶部１４に記憶されている記録データＤｒには、図３に示すように、互いに関連づけられた測定地点Ａ毎の測定時刻Ｔｄ、測定位置Ｐｄおよび測定値Ｒｄが含まれている。
【００３９】
ここで、この測定装置１（携帯型端末２）は、測定位置Ｐｄおよび測定値Ｒｄを地図上に示した測定結果画像Ｇｄを表示する機能を有している。この機能を利用して測定結果画像Ｇｄを表示させるときには、携帯型端末２における操作部１１を操作して、表示処理の実行を指示する。この際に、操作部１１から出力された操作信号に従い、処理部１７が記憶部１４から地図データＤｍおよび記録データＤｒを読み出す。
【００４０】
次いで、処理部１７は、図４に示すように、測定位置Ｐｄ（各測定地点Ａ１〜Ａ６の位置）を表すマーク（例えば、同図に黒丸で示すマーク：以下「位置マーク」ともいう）と、測定値Ｒｄを表す数字とを、工場敷地３００（図２参照）の地図上に示した測定結果画像Ｇｄを表示するための画像データを、地図データＤｍおよび記録データＤｒに基づいて生成する。続いて、処理部１７は、画像データを表示部１６に出力する。これにより、同図に示すように、表示部１６に測定結果画像Ｇｄが表示される。なお、同図および後述する図５，７に示す「Ａ１」〜「Ａ６」の文字は、実際の測定結果画像Ｇｄには表示されない。
【００４１】
一方、携帯型端末２を含むこの種の携帯型端末に搭載されているＧＰＳ機能を用いて特定した位置（上記した測定位置Ｐｄ）は、数ｍ〜１０ｍ程度の誤差を含んでいることがある。このため、記録データＤｒ内の測定位置Ｐｄ（記録データＤｒに含まれている測定位置Ｐｄ）、つまり、測定位置取得処理を実行して位置データＤｐに基づいて取得した測定位置Ｐｄが、実際の測定位置Ｐｄとは異なることがある。この測定装置１（携帯型端末２）は、このように記録データＤｒ内の測定位置Ｐｄ（取得した測定位置Ｐｄ）と実際の測定位置Ｐｄとが異なっているときに、記録データＤｒ内の測定位置Ｐｄを補正する機能を有している。
【００４２】
この機能を用いて補正を行うときには、携帯型端末２における操作部１１を操作して、補正の開始を指示する。この際に、操作部１１から出力された操作信号に従い、処理部１７が補正処理を実行する。この補正処理では、処理部１７は、図５に示すように、地図上に位置マークを示した補正用の画像（以下、「補正用画像Ｇｒ」ともいう）を表示部１６に表示させ、この状態において操作部１１に対して行われる補正操作に従って記録データＤｒ内の測定位置Ｐｄを補正する。具体的には、タッチパネル上において位置マーク（位置マークに対向する位置）にタッチ操作した状態でドラッグ操作を行い、タッチ位置を任意の位置に移動させ（同図参照）、その位置でタッチ状態を解除する。この際に、処理部１７は、操作部１１から出力される操作信号に基づいてタッチ位置の移動量を特定する。
【００４３】
次いで、処理部１７は、特定した移動量から補正値Ｖｐを算出する。続いて、処理部１７は、算出した補正値Ｖｐ（補正操作において指定された補正値Ｖｐ）が予め決められた規定値Ｖｈ（例えば、１０００ｍ）以下であるか否かを判別する。この場合、補正値Ｖｐが規定値Ｖｈ以下のときには、処理部１７は、算出した補正値Ｖｐ分だけ測定位置Ｐｄを補正する（測定位置Ｐｄを示す緯度および経度を補正値Ｖｐ分だけ増減する）。
【００４４】
次いで、処理部１７は、記憶処理を実行し、図６に示すように、補正後の測定位置Ｐｄを、上記した測定時刻Ｔｄ、補正前の測定位置Ｐｄおよび測定値Ｒｄに関連づけた記録データＤｒを生成して記憶部１４に記憶させる。続いて、処理部１７は、補正後の測定位置Ｐｄおよび測定値Ｒｄを地図上に示した補正後の測定結果画像Ｇｄを表示させる画像データを生成して表示部１６に出力する。これにより、図７に示すように、表示部１６に補正後の測定結果画像Ｇｄが表示される。
【００４５】
上記したように、この測定装置１では、取得した測定位置Ｐｄを補正して補正後の測定位置Ｐｄを含んだ記録データＤｒを記憶させることができるため、例えば、測定位置Ｐｄ毎の測定値Ｒｄの変化などの解析や、測定値Ｒを測定位置Ｐｄと共に地図上に表示したりする際に、その解析や表示を正確に行うことが可能となっている。なお、上記した補正操作においてタッチ位置を移動させる際に、その移動に連動して位置マークが地図上で移動するような測定結果画像Ｇｄを表示させてもよい。
【００４６】
一方、算出した補正値Ｖｐ（補正操作において指定された補正値Ｖｐ）が予め決められた規定値Ｖｈを超えるときには、処理部１７は、補正処理を実行することなく、補正値Ｖｐが規定値Ｖｈを超えている旨を表示部１６に表示させる。このように、補正値Ｖｐが規定値Ｖｈ以下のときにのみ処理部１７が補正処理を実行することにより、補正操作のミスによって測定位置Ｐｄが誤った位置に補正される事態が確実に防止される。また、取得した測定位置Ｐｄを実際の測定位置Ｐｄとは異なる位置に故意に大きく補正（改ざん）するような不正行為を確実に防止することが可能となっている。
【００４７】
このように、この測定装置１および測定用プログラムでは、補正操作に従って測定位置Ｐｄを補正する補正処理と、補正後の測定位置Ｐｄを補正前の測定位置Ｐｄおよび測定値Ｒｄと共に記憶部１４に記憶させる記憶処理とを実行する。このため、この測定装置１および測定用プログラムでは、例えば、ＧＰＳ機能によって特定した測定位置Ｐｄを取得した場合において、その測定位置Ｐｄに誤差が含まれていたとしても、その測定位置Ｐｄを補正して記憶させることができるため、例えば、測定位置Ｐｄ毎の測定値Ｒｄの変化等の解析をしたり、測定値Ｒを測定位置Ｐｄと共に地図上に表示したりする際に、補正後の測定位置Ｐｄを用いることで、その解析や表示を十分正確に行うことができる。また、補正前の測定位置Ｐｄを記憶部１４に記憶させるため、補正後の測定位置Ｐｄおよび補正前の測定位置Ｐｄから（これらの測定位置Ｐｄ間の距離から）補正操作において指定された補正値Ｖｐを特定することができる。このため、この測定装置１および測定用プログラムによれば、指定された補正値Ｖｐが適正であるか否かの検証を補正処理後において行うことができる。
【００４８】
また、この測定装置１および測定用プログラムによれば、補正操作において指定された補正値Ｖｐが予め決められた規定値Ｖｈ以下のときにのみ補正処理を実行することにより、補正操作のミスによって測定位置Ｐｄが実際の測定位置Ｐｄとは大きく異なる位置に誤って補正される事態を確実に防止することができる。また、取得した測定位置Ｐｄを実際の測定位置Ｐｄとは異なる位置に故意に大きく補正（改ざん）するような不正行為を確実に防止することができる。
【００４９】
また、この測定装置１および測定用プログラムでは、補正処理後の測定位置Ｐｄを測定値Ｒｄと共に地図上に示した測定結果画像Ｇｄを表示部１６に表示させる表示処理を実行する。このため、この測定装置１および測定用プログラムによれば、補正後の正確な測定位置Ｐｄと測定値Ｒｄとを地図上で確認することができるため、例えば、複数の測定位置Ｐｄ（測定地点Ａ）で測定を行う際の測定作業の進捗状況を正確に把握したり、測定位置Ｐｄ毎の測定値Ｒｄを一目で把握したりすることができる。
【００５０】
また、この測定装置１では、接地抵抗を測定する測定器３と、測定器３とは別体に構成された携帯型端末２とを備え、測定器３および携帯型端末２を通信可能に構成したことにより、物理量（接地抵抗）を測定する作業と、補正操作などの各種操作とを別々の測定者（作業者）が分担して行うことができるため、作業効率を十分に向上させることができる。また、携帯型端末２に搭載されているＧＰＳ機能、表示機能、タッチ操作機能および記憶機能などを利用することができるため、操作性や利便性を十分に高めることができる。
【００５１】
なお、測定装置１および測定用プログラムは、上記の構成に限定されない。例えば、送受信部１３と送受信部２３とを通信用ケーブルで接続し、通信用ケーブルを介して指示信号Ｓｉや測定データＤｄの送受信（通信）を行う例について上記したが、送受信部１３および送受信部２３が無線で通信を行う構成を採用することもできる。
【００５２】
また、補正後の測定位置Ｐｄを、測定時刻Ｔｄ、補正前の測定位置Ｐｄおよび測定値Ｒｄと共に記憶させる例について上記したが、補正後の測定位置Ｐｄに代えて、補正値Ｖｐを記憶させる構成を採用することもできるし、補正後の測定位置Ｐｄおよび補正値Ｖｐの双方を記憶させる構成を採用することもできる。これらの構成においても、上記した測定装置１および測定用プログラムと同様の効果を奏することができる。
【００５３】
また、ＧＰＳ受信部１２を備えた携帯型端末２を用いる例について上記したが、測定器３にＧＰＳ機能を搭載して、測定器３のＧＰＳ機能を用いて測定位置Ｐｄを取得する構成を採用することもできる。また、測定器３に表示部を設けて、測定器３の表示部に測定結果画像Ｇｄを表示させる構成や、測定装置１以外の表示部に測定結果画像Ｇｄを表示させる構成を採用することもできる。また、測定器３に記憶部を設けて、測定器３の記憶部に記録データＤｒを記憶させる構成や、測定装置１以外の記憶部に記録データＤｒを記憶させる構成を採用することもできる。
【００５４】
また、別体に構成された携帯型端末２および測定器３で測定装置１を構成した例について上記したが、携帯型端末２および測定器３が有する各機能（携帯型端末２および測定器３に搭載されている各構成要素）を備えて単体の測定装置を採用することもできる。また、物理量の一例としての接地抵抗を測定する例について上記したが、接地抵抗以外の他の物理量（例えば、電流、電圧および電力など）の測定に適用することができるのは勿論である。
【符号の説明】
【００５５】
１  測定装置
２  携帯型端末
３  測定器
１１  操作部
１２  ＧＰＳ受信部
１３  送受信部
１４  記憶部
１６  表示部
１７  処理部
２３  送受信部
Ｄｄ  測定データ
Ｄｒ  記録データ
Ｇｒ  補正用画像
Ｐｄ  測定位置
Ｒ  接地抵抗
Ｒｄ  測定値
Ｖｈ  規定値
Ｖｐ  補正値
【図１】
0005917206.tif 000002
【図２】
0005917206.tif 000003
【図３】
0005917206.tif 000004
【図４】
0005917206.tif 000005
【図５】
0005917206.tif 000006
【図６】
0005917206.tif 000007
【図７】
0005917206.tif 000008